(57)【要約】【課題】  ガレージや物置や温室等として用いられる蛇腹式テントに於て、強風等の大きな外力に依り転倒する惧れがないと共に、それでいて容易に吊上げて移動できる様にする。【解決手段】  基台２、レール３、門型枠体４、伸縮手段５、係留手段６、吊具７とで構成し、とりわけ接地面Ａに移動可能に置かれて所定の重量を備えた基台２と、収縮された各門型枠体４をレール３の略中央に係留する係留手段６と、基台２の四隅に設けられて吊上げ用の索条Ｂを着脱可能に係止する吊具７とを備えている。【選択図】        図１
2010065484.tif 000002
【特許請求の範囲】
【請求項１】
接地面に移動可能に置かれて所定の重量を備えた基台と、基台上に設けられた左右のレールと、レールに沿って前後方向に移動可能に設けられた複数の門型枠体と、各門型枠体を前後方向に伸縮可能に連結する伸縮手段と、収縮された各門型枠体をレールの略中央に係留する係留手段と、基台の四隅に設けられて吊上げ用の索条を着脱可能に係止する吊具と、から構成した事を特徴とする蛇腹式テント。
【請求項２】
基台は、四枠状に配される前後左右の枠材と、四隅に設けられて隣接する枠材を着脱可能に連結する隅角材とを備えている請求項１に記載の蛇腹式テント。
【請求項３】
係留手段は、最前及び最後の門型枠体に昇降可能に設けられた落し棒と、レールの前後方向の所定間隔毎に設けられて落し棒を受け入れる複数の受筒とを備えて居り、門型枠体の伸長状態と端部収縮状態と中央収縮状態とに係留可能な請求項１に記載の蛇腹式テント。
【請求項４】
吊具は、基体の隅角材に設けられている請求項２に記載の蛇腹式テント。
【請求項５】
門型枠体のうち最前及び最後のものは、吊具との間で索条を掛渡して門型枠体を伸長状態に保持する為の掛具を備えている請求項１に記載の蛇腹式テント。
【発明の詳細な説明】
【技術分野】
【０００１】
本発明は、例えばガレージや物置や温室や通路等として用いられる蛇腹式テントの改良に関する。
【背景技術】
【０００２】
従来、この種の蛇腹式テントは、基本的には、左右のレールと、レールに沿って前後方向に移動可能に設けられた複数の門型枠体と、各門型枠体を前後方向に伸縮可能に連結する伸縮手段と、から構成されて居り、次の様なものが知られていた。
（１）  アンカ等で接地面に固定されるもの（特許文献１〜４参照）。
（２）  キャスタ等の車輪を備えるもの（特許文献５参照）。
（３）  接地面に単に置かれるもの（特許文献６〜７参照）。
【０００３】
【特許文献１】実開昭５１−１０８３３４号公報
【特許文献２】実開昭５１−１５８１３３号公報
【特許文献３】実開平４−１２５３６６号公報
【特許文献４】実開平６−３７４６１号公報
【特許文献５】実公昭４９−１１３６６号公報
【特許文献６】実公昭４４−１４０３９号公報
【特許文献７】実開平４−１２２１５９号公報
【発明の開示】
【発明が解決しようとする課題】
【０００４】
ところが、前記（１）のものは、強風等の大きな外力が作用しても転倒する惧れがないものの、容易に移動する事ができなかった。前記（２）のものは、移動が容易であるものの、強風等の大きな外力が作用した場合には、不用意に移動したり転倒する惧れががあった。前記（３）のものは、移動が可能であるものの、吊上げて移動する様にはなって居らず、強風等の大きな外力が作用した場合には、転倒する可能性があった。
この様に、従来のものは、夫々一長一短があって、何れのものも、強風等の大きな外力が作用した場合には転倒する惧れがないと共に、それでいてクレーン等で吊上げて移動する様にはなっていなかった。
【０００５】
本発明は、叙上の問題点に鑑み、これを解消する為に創案されたもので、その課題とする処は、強風等の大きな外力に依り転倒する惧れがないと共に、それでいて容易に吊上げて移動する事ができる蛇腹式テントを提供するにある。
【課題を解決するための手段】
【０００６】
本発明の蛇腹式テントは、基本的には、接地面に移動可能に置かれて所定の重量を備えた基台と、基台上に設けられた左右のレールと、レールに沿って前後方向に移動可能に設けられた複数の門型枠体と、各門型枠体を前後方向に伸縮可能に連結する伸縮手段と、収縮された各門型枠体をレールの略中央に係留する係留手段と、基台の四隅に設けられて吊上げ用の索条を着脱可能に係止する吊具と、から構成した事に特徴が存する。
【０００７】
蛇腹式テントは、基台が接地面上に置かれる。基台は、所定の重量を備えているので、強風等の外力が作用しても、蛇腹式テントが容易に転倒する惧れがない。
蛇腹式テントを移動する場合には、伸縮手段に依り各門型枠体が略中央に収縮された後、係留手段に依り各門型枠体が同状態に保持される。
この様な状態で基台の四隅の吊具に索条が係止された後、クレーン等に依り吊上げられて移動される。
各門型枠体は、伸縮手段に依り収縮されると共に、レールの長手方向の略中央に移動された後に、係留手段に依り同状態が維持される。この為、重心が基台の略中央に位置されるので、バランス良く安定して吊上げる事ができる。加えて、門型枠体が邪魔にならずに索条を掛け渡す事ができるので、吊上げ作業が容易且つ安全に行なう事ができる。
【０００８】
基台は、四枠状に配される前後左右の枠材と、四隅に設けられて隣接する枠材を着脱可能に連結する隅角材とを備えているのが好ましい。この様にすれば、枠材と隅角材を夫々同形状にして統一化でき、製造や保管を簡単化する事ができる。
【０００９】
係留手段は、最前及び最後の門型枠体に昇降可能に設けられた落し棒と、レールの前後方向の所定間隔毎に設けられて落し棒を受け入れる複数の受筒とを備えて居り、門型枠体の伸長状態と端部収縮状態と中央収縮状態とに係留可能であるのが好ましい。この様にすれば、簡単な構成に依り門型枠体を中央収縮状態だけでなくその他の各状態に係留する事ができる。
【００１０】
吊具は、基台の隅角材に設けられているのが好ましい。この様にすれば、嵩高な枠材を加工して設ける必要がないと共に、枠材を積み重ねて保管する場合に、誤って吊具を損傷する惧れもない。
【００１１】
門型枠体のうち最前及び最後のものは、吊具との間で索条を掛渡して門型枠体を伸長状態に保持する為の掛け具を備えているのが好ましい。この様にすれば、吊具を利用する事ができるので、それだけ部品点数を省略でき、極めて合理的である。
【発明の効果】
【００１２】
本発明に依れば、次の様な優れた効果を奏する事ができる。
（１）  基台、レール、門型枠体、伸縮手段、係留手段、吊具とで構成し、とりわけ接地面に移動可能に置かれて所定の重量を備えた基台と、収縮された各門型枠体をレールの略中央に係留する係留手段と、基台の四隅に設けられて吊上げ用の索条を着脱可能に係止する吊具とを備えているので、強風等の大きな外力に依り転倒する惧れがないと共に、それでいて容易に吊上げて移動する事ができる。
（２）  接地面に移動可能に置かれて所定の重量を備えた基台と、収縮された各門型枠体をレールの略中央に係留する係留手段と、基台の四隅に設けられて吊上げ用の索条を着脱可能に係止する吊具とを備えているので、レールや門型枠体が吊上げに依って損傷する事がないと共に、重心を基台の略中央に位置させてバランス良く安定して吊上げる事ができる。
【発明を実施するための最良の形態】
【００１３】
以下、本発明の実施の形態を、図面に基づいて説明する。
図１は、本発明の蛇腹式テントを示す正面図。図２は、図１の側面図。図３は、吊上げた状態を示す図２と同様図。図４は、基台とレールのみを示す分解斜視図。図５は、図１の要部拡大図。図６は、図４の要部拡大図である。
【００１４】
蛇腹式テント１は、基台２、レール３、門型枠体４、伸縮手段５、係留手段６、吊具７とからその主要部が構成されている。蛇腹式テント１は、この他に、掛具８、保持手段９を備えて居り、各門型枠体４の外側には、膜体（テントシート）１０が覆い被せられる。
【００１５】
基台２は、接地面Ａに移動可能に置かれて所定の重量を備えたもので、この例では、四枠状に配される前後左右の枠材１１と、四隅に設けられて隣接する枠材１１をボルト・ナット等の締結具（図示せず）に依り着脱可能に連結する隅角材１２とを備えている。枠材１１は、断面略Ｈ型を呈する市販の山留材を用いている。
【００１６】
レール３は、基台２上に設けられた左右のもので、この例では、上方が開放したチャンネル状の型材１３と、これの下面に前後方向に所定間隔を置いて設けられた取付板１４とを備えて居り、基台２の左右の枠材１１上に取付板１４がボルト・ナット等の締結具（図示せず）に依り着脱可能に取付けられている。
レール３の前後には、図略しているが、脱輪を防止する為のストッパ（ボルト・ナット）が設けられている。
【００１７】
門型枠体４は、レール３に沿って前後方向に移動可能に設けられた複数のもので、この例では、天井部１５と、これの両端に着脱可能に垂設された左右（図１に於て左右）の支柱１６と、これの下部に設けられてレール３に沿って転動し得る車輪１７とを備えて居り、六つのものが前後方向（図２に於て左右方向）に配されている。
【００１８】
天井部１５は、丸パイプ製の弧状材１８と、これらの下部同士を連結する角パイプ製の梁材１９と、これらを連結する適数の縦材２０とを備えている。
支柱１６は、角パイプ製の内側柱材２１と、丸パイプ製の外側柱材２２と、これらを連結する適数の横材２３とを備えている。
車輪１７は、支柱１６の内側柱材２１の下部に設けられて略逆Ｕ型を呈するホルダ２４と、これに左右方向軸廻りに回転可能に設けられて下半がレール３の内部に位置して転動する主輪２５と、ホルダ２４の左右両側に設けられてレール３の型材１３の上部ウエブに当合して浮き上がりを防止する副輪２６とを備えている。
【００１９】
伸縮手段５は、各門型枠体４を前後方向に伸縮可能に連結するもので、この例では、門型枠体４の支柱１３の内部に設けられている。つまり、門型枠体４の支柱１３の内側柱材１８の外側に設けられて居り、所謂内側柱材１８と外側柱材１９との間に位置されている。
伸縮手段５は、各門型枠体４の支柱１６の内側柱材２１間に配されて交点が枢軸２７に依り回転可能に枢結された複数のＸ型リンク２８と、各Ｘ型リンク２８の下端に回転可能に設けられて門型枠体４の支柱１６の内側柱材２１に固定される固定枢軸２９と、各Ｘ型リンク２８の上端に回転可能に設けられた可動枢軸３０と、可動枢軸３０に設けられた環体３１と、各支柱１６の内側柱材２１に設けられて環体３１が遊嵌されてこれを上下方向に案内する案内杆３２とを具有している。
【００２０】
係留手段６は、収縮された各門型枠体４をレール３の略中央に係留するもので、この例では、最前及び最後の門型枠体４の支柱１６の内側柱材２１に設けられた支持体３３と、これに昇降可能に設けられた落し棒３４と、レール３の前後方向の所定間隔毎に設けられて落し棒３４を受け入れる複数の受筒３５とを備えて居り、少なくとも門型枠体４の伸長状態と端部（前側及び後側）収縮状態と中央収縮状態とに係留可能にされる様になっている。
【００２１】
吊具７は、基台２の四隅に設けられて吊上げ用の索条Ｂを着脱可能に係止するもので、この例では、アイボルトにしてあり、基台２の隅角材１２の上面に設けられている。
索条Ｂは、ワイヤロープにしてあり、クレーンのフックＣに掛け渡されて所謂玉掛けされる。
【００２２】
掛具８は、吊具７との間で別の索条Ｄを掛渡して各門型枠体４を伸長状態に保持する為のもので、この例では、最前及び最後の門型枠体４の天井部１５の左右に設けられて居り、アイボルトにしてある。
【００２３】
保持手段９は、前後の門型枠体４の支柱１６の内側柱材２１間に介設されていると共に、上中下の三箇所に配設されて居り、夫々倒立略Ｕ型を呈する丸棒製の保持杆３６と、支柱１６の内側柱材２１に溶接に依り設けられて保持杆３６の両端が着脱可能に嵌合される丸パイプ製の受筒３７とを備えている。
【００２４】
尚、最前及び最後の門型枠体４の天井部１５の左右には、止具３８が設けられている。これは、必要に応じて、接地面Ａに設けられたアンカ等（図示せず）との間で別の索条Ｅを掛渡して門型枠体４を伸長状態に保持すると共に、蛇腹式テント１の全体を接地面Ａに対して固定する為のものであり、アイボルトにしてある。
【００２５】
次に、この様な構成に基づいてその作用を述解する。
図１乃至図３に示す如く、蛇腹式テント１の各門型枠体４が伸縮手段５に依り前後方向に伸縮されると、膜体１０も拡縮されて所定の空間が形成される。この時、各門型枠体４の車輪１７がレール３に案内されるので、伸縮移動が容易に行われる。
各門型枠体４は、係留手段６の落し棒３４と受筒３５に依り例えば図１及び図２に示す伸長状態や図３に示す中央に寄せた中央収縮状態や前側又は後側に寄せた端部収縮状態（図示せず）等に係留される。この時、保持手段９の保持杆３６が隣接する受筒３７に嵌合されて同状態が維持される。
【００２６】
各門型枠体４が伸長状態にされると、図２に示す如く、吊具７と掛具８との間に索条Ｄが掛渡されると共に、必要に応じて、図１に示す如く、止具３８と接地面Ａに設けられるアンカや錘等（図示せず）との間に別の索条Ｅが掛渡される。こうすると、各門型枠体４が伸長状態が保持されると共に、蛇腹式テント１の全体が接地面Ａに対して固定される。
【００２７】
基台２は、接地面Ａに置かれた後は、例えば前後の枠材１１を隅角材１２から切り離して左右の枠材１１に外側近傍に配置しても良い。この様にすれば、前後の枠材１１がないので、蛇腹式テント１への荷物の出し入れに際してこれが邪魔になる事がない。
加えて、左右の枠材１１とこれの外側に後から配置される枠材１１とを適宜連結して一体化して置けば、四枠状の場合と同様に、錘としての効果が損なわれないので、より一層、強風等の大きな外力に依り転倒する惧れがない。
【００２８】
蛇腹式テント１を移動する場合は、基台２が四枠状になる様に戻されて索条Ｄ，Ｅが取外された後に、各門型枠体４が伸縮手段５に依り収縮されると共に、レール３の長手方向の略中央に移動され、図３に示す如く、係留手段６と保持手段９に依り同状態が維持される。
この様な状態で基台２の四隅の吊具７に索条Ｂが係止されると共に、索条Ｂがクレーン等のフックＣに掛渡されて所謂玉掛けされた後、クレーン等に依り吊上げられて任意の場所に移動される。
【００２９】
各門型枠体４は、伸縮手段５に依り収縮されると共に、レール３の長手方向の略中央に移動された後に、係留手段６に依り同状態が維持されるので、重心が基台２の略中央に位置されてバランス良く安定して吊上げる事ができる。加えて、門型枠体４が邪魔にならずに索条Ｂを掛け渡す事ができ、吊上げ作業が容易且つ安全に行なう事ができる。
【００３０】
尚、基台２は、先の例では、枠材１１と隅角材１２とで構成したが、これに限らず、例えば枠材１１だけで構成しても良い。
基台２は、先の例では、四枠状であったが、これに限らず、例えば平板状でも良い。
基台２の枠材１１は、先の例では、市販の山留材を用いたが、これに限らず、例えば専用のものを用いても良い。
門型枠体４は、先の例では、六つであったが、これに限らず、例えばこれ以外の複数でも良い。
伸縮手段５は、先の例では、支柱１６の内側柱材２１と外側柱材２２との間に設けたが、これに限らず、例えば支柱１６の内側柱材２１の内側に設けても良い。
係留手段６は、先の例では、前側と後側で収縮状態に係留できる様にしたが、これに限らす、例えば前側を省略しても良い。
吊具７は、先の例では、基台２の隅角材１２に設けたが、これに限らず、例えば基台２の枠材１１に設けても良い。
索条Ｂ，Ｄ，Ｅは、先の例では、ワイヤロープであったが、これに限らず、例えばチェーン等でも良い。
【図面の簡単な説明】
【００３１】
【図１】本発明の蛇腹式テントを示す正面図。
【図２】図１の側面図。
【図３】吊上げた状態を示す図２と同様図。
【図４】基台とレールのみを示す分解斜視図。
【図５】図１の要部拡大図。
【図６】図４の要部拡大図。
【符号の説明】
【００３２】
１…蛇腹式テント、２…基台、３…レール、４…門型枠体、５…伸縮手段、６…係留手段、７…吊具、８…掛具、９…保持手段、１０…膜体、１１…枠材、１２…隅角材、１３…型材、１４…取付板、１５…天井部、１６…支柱、１７…車輪、１８…弧状材、１９…梁材、２０…縦材、２１…内側柱材、２２…外側柱材、２３…横材、２４…ホルダ、２５…主輪、２６…副輪、２７…枢軸、２８…Ｘ型リンク、２９…固定枢軸、３０…可動枢軸、３１…環体、３２…案内杆、３３…支持体、３４…落し棒、３５…受筒、３６…保持杆、３７…受筒、３８…止体、Ａ…接地面、Ｂ…索条、Ｃ…フック、Ｄ…索条、Ｅ…索条。
【図１】
2010065484.tif 000003
【図２】
2010065484.tif 000004
【図３】
2010065484.tif 000005
【図４】
2010065484.tif 000006
【図５】
2010065484.tif 000007
【図６】
2010065484.tif 000008